(57)【要約】【課題】本発明は、前記従来の問題点を解決するものであって、複数本の中綿を収納して使用頻度の高いユーザーに安価に提供でき、さらに、複数本の中から１本の中綿を迅速に取り出すことができる中綿収納容器を提供する。【解決手段】中綿収納容器１は、筆記具に交換可能に用いられ、インキが含浸された繊維加工体からなる中綿４と、該中綿４が収納される容器本体２と、該容器本体２に着脱自在に嵌合可能なキャップと、を備える。内部に複数の中綿４が収納される。容器本体２の底面に、各々の中綿４の後端が前後方向に当接する当接部２１，２２が設けられる。各々の当接部２１，２２の前後方向の位置が異なる。【選択図】  図２
2020100417.tif 000002
【特許請求の範囲】
【請求項１】
筆記具に交換可能に用いられ、インキが含浸された繊維加工体からなる中綿と、該中綿が収納される容器本体と、該容器本体に着脱自在に嵌合可能なキャップと、を備えた中綿収納容器であって、
内部に複数の中綿が収納され、前記容器本体の底面に、各々の中綿の後端が前後方向に当接する当接部が設けられ、前記各々の当接部の前後方向の位置が異なることを特徴とする中綿収納容器。
【請求項２】
前記容器本体が円筒形状であり、前記各々の当接部が、前記容器本体の軸心周りに形成される請求項1に記載の中綿収納容器。
【請求項３】
前記各々の当接部が、前記容器本体の軸心周りに螺旋状に形成される請求項２に記載の中綿収納容器。
【請求項４】
前記各々の当接部が、前記容器本体の軸心近傍から径方向外方に放射状に延びるリブからなる請求項３に記載の中綿収納容器。
【請求項５】
前記各々の当接部が、前記容器本体の軸心周りに螺旋状に連続して形成された傾斜面からなる請求項３に記載の中綿収納容器。
【請求項６】
前記各々の当接部が、前記容器本体の軸心周りに螺旋階段状に連続して形成された階段面からなる請求項３に記載の中綿収納容器。
【発明の詳細な説明】
【技術分野】
【０００１】
本発明は、中綿収納容器に関する。詳細には、筆記具に交換可能に用いられ、インキが含浸された繊維加工体からなる中綿と、該中綿が収納される容器本体と、該容器本体に着脱自在に嵌合可能なキャップと、を備えた中綿収納容器に関する。
【背景技術】
【０００２】
従来、特許文献１には、中綿収納容器として一方が開放された容器状のカートリッジ軸と、該カートリッジ軸開放端部に嵌着して密閉するキャップとを有する中綿収納用カートリッジが開示されている。
【先行技術文献】
【特許文献】
【０００３】
【特許文献１】特開２００３−８０８８７号公報
【発明の概要】
【発明が解決しようとする課題】
【０００４】
前記特許文献１に記載された中綿収納容器は、単一の中綿を収納する構造のため、使用頻度の高いユーザーに安価に提供することが困難である。
本発明は、前記従来の問題点を解決するものであって、複数本の中綿を収納して使用頻度の高いユーザーに安価に提供でき、さらに、複数本の中から１本の中綿を迅速に取り出すことができる中綿収納容器を提供しようとするものである。
【０００５】
尚、本発明で、「前」とは、容器開口側を指し、「後」とは、その反対側を指す。
【課題を解決するための手段】
【０００６】
本願の第１の発明は、筆記具に交換可能に用いられ、インキが含浸された繊維加工体からなる中綿４と、該中綿４が収納される容器本体２と、該容器本体２に着脱自在に嵌合可能なキャップ３と、を備えた中綿収納容器であって、内部に複数の中綿４が収納され、前記容器本体２の底面に、各々の中綿４の後端が前後方向に当接する当接部２１，２２，２３が設けられ、前記各々の当接部２１，２２，２３の前後方向の位置が異なることを要件とする。
【０００７】
前記第１の発明の中綿収納容器１は、前記構成により、複数本の中綿４を収納して使用頻度の高いユーザーに安価に提供でき、さらに、複数本の中から１本の中綿４を迅速に取り出すことができる。
【０００８】
本願の第２の発明は、前記第１の発明の中綿収納容器において、前記容器本体２が円筒形状であり、前記各々の当接部２１，２２，２３が、前記容器本体２の軸心周りに形成されることを要件とする。
【０００９】
前記第２の発明の中綿収納容器１は、前記構成により、内部に複数本の中綿４を収納した際、中綿４が容器本体２の軸心周りに整列して配置されるため、中綿４の交換時、１本の中綿４を容器本体２内部から迅速に取り出すことができる。また、各々の中綿４が軸心周りに収納されるため、落下等の衝撃が中綿収納容器に加わっても、内部の中綿４の整列状態が乱れることがない。
【００１０】
本願の第３の発明は、前記第２の発明の中綿収納容器において、前記各々の当接部２１，２２，２３が、前記容器本体２の軸心周りに螺旋状に形成されることを要件とする。
【００１１】
前記第３の発明の中綿収納容器１は、前記構成により、内部に複数本の中綿４を収納した際、各々中綿４が容器本体２の軸心周りに順次前後位置を変えて配置されるため、中綿４の交換時、１本の中綿４を容器本体２内部から迅速に取り出すことができる。
【００１２】
本願の第４の発明は、前記第３の発明の中綿収納容器において、前記各々の当接部２１，２２，２３が、前記容器本体２の軸心近傍から径方向外方に放射状に延びるリブからなることを要件とする。
【００１３】
前記第４の発明の中綿収納容器１は、前記構成により、各々の当接部２１，２２，２３を容易に形成できる。
【００１４】
本願の第５の発明は、前記第３の発明の中綿収納容器において、前記各々の当接部２１，２２，２３が、前記容器本体２の軸心周りに螺旋状に連続して形成された傾斜面からなることを要件とする。
【００１５】
前記第５の発明の中綿収納容器１は、前記構成により、各々当接部２１，２２，２３を容易に形成できる。
【００１６】
本願の第６の発明は、前記第３の発明の中綿収納容器において、前記各々の当接部２１，２２，２３が、前記容器本体２の軸心周りに螺旋階段状に連続して形成された階段面からなることを要件とする。
【００１７】
前記第６の発明の中綿収納容器１は、前記構成により、各々当接部２１，２２，２３と中綿４との前後方向の安定した当接支持が可能となる。
【発明の効果】
【００１８】
本発明の中綿収納容器は、複数本の中綿を収納して使用頻度の高いユーザーに安価に提供でき、且つ、複数本の中から１本の中綿を迅速に取り出すことができる。
【図面の簡単な説明】
【００１９】
【図１】本発明の第１の実施の形態の中綿収納容器の一部縦断面図である。
【図２】図１のキャップを取り外した状態の縦断面図である。
【図３】図１のキャップを取り外した状態の他の縦断面図である。
【図４】図１の容器本体の縦断面図である。
【図５】図１のＡ−Ａ線拡大断面図である。
【図６】図１の中綿収納容器の中綿交換時を示す縦断面図である。
【図７】本発明の第２の実施の形態の中綿収納容器のキャップを取り外した状態の縦断面図である。
【図８】図７の中綿を除いたＢ−Ｂ線拡大断面図である。
【図９】本発明の第３の実施の形態の中綿収納容器のキャップを取り外した状態の縦断面図である。
【図１０】図９の中綿を除いたＣ−Ｃ線拡大断面図である。
【発明を実施するための形態】
【００２０】
＜第１の実施の形態＞
本発明の第１の実施の形態の中綿収納容器を図１乃至図６に示す。
本実施の形態の中綿収納容器１は、容器本体２と、該容器本体２の開口部に着脱自在に嵌合されるキャップ３と、容器本体２内部とキャップ３内部に収納される複数本（例えば３本）の中綿４とを備える。
【００２１】
・容器本体
容器本体２は、一端が開口され且つ他端が閉鎖された有底の円筒体である。容器本体２は、合成樹脂（例えばポリプロピレン）の射出成形により得られる。
【００２２】
・当接部
容器本体２の底面に、容器本体２の軸心近傍より径方向外方に放射状に延び且つ軸方向に延びる複数本（例えば８本）のリブが等間隔に一体に形成される。複数本のリブを複数の組（例えば３組）のリブ群に分け、各リブ゛群の中で各リブの軸方向の長さ（各々のリブの前端の前後の位置）が同一に設定され、各々リブ群の軸方向の長さ（各々のリブ群の前端の前後の位置）が互いに異なるようが設定される。各々のリブ群の前端が、各々の中綿４の端面が前後方向に当接する当接部となり、各々の当接部の前後方向の位置が異なる。例えば、軸方向の長さの最も長いリブ群の前端を第１の当接部２１とし、軸方向の長さが２番目のリブ群の前端を第２の当接部２２とし、軸方向の長さが最も短い（軸方向の長さが３番目の）リブ群の前端を第３の当接部２３とした。
【００２３】
各々の当接部２１，２２，２３は容器本体２の軸心周りに螺旋状に形成される。各々の当接部２１，２２，２３の前後の位置が螺旋状に順次異なる。それにより、各々の中綿４が軸心周りに螺旋状に整列して収納されるため、落下等の衝撃が中綿収納容器１に加わっても、中綿４の整列状態が乱れることがない。
【００２４】
・中綿
複数本（例えば３本）の中綿４が容器本体２内に収納される。各々の中綿４は同一である。各々の中綿４の後端が、各々の当接部（例えば、第１の当接部２１、第２の当接部２２、第２の当接部２３）に当接される。各々の中綿４は、円柱状の合成樹脂製繊維束（例えば、ポリエステル繊維束）の加工体からなる。各々の中綿４の外周面には合成樹脂製の円筒状の外皮が被覆される。
【００２５】
各々の中綿４が、容器本体２の開口部から前方に突出される。容器本体２の開口部から前方に突出される各々の中綿４の前端部は、互いに前後の位置が異なる。例えば、第１の当接部２１に当接された中綿４の前端が最も前方に位置され、第２の当接部２２に当接された中綿４の前端が第１の当接部２１に当接された中綿４の前端より後方に位置され、第３の当接部２３に当接された中綿４の前端が第２の当接部２２に当接された中綿４の前端より後方に位置される。
【００２６】
容器本体２の外面には、キャップ３との嵌合部２４と、該嵌合部２４の後方に周状に突設される鍔部２５とを備える。
【００２７】
・キャップ
キャップ３は、一端が開口され且つ他端が閉鎖された有底円筒体からなり、合成樹脂の射出成形により得られる。容器本体２の開口部外面にキャップ３が装着され際、容器本体２の嵌合部２４にキャップ３内面が気密嵌合され、容器本体２の鍔部２５にキャップ３の開口端が当接される。キャップ３内部には、容器本体２の開口部から前方に突出された各々の中綿４が収納される。
【００２８】
・中綿交換時
図６に中綿交換時を示す。容器本体２の開口部を上向きにしてキャップ３を取り外し、容器本体２の開口部より前方に突出する複数の中綿４の一つに、ペン先５を有するペン先ホルダー６の後端開口部を嵌合させ、最も突出する中綿４の前端から順にペン先５の後端を接続させる。ペン先ホルダー６を介してペン先５と中綿４を接続するため、中綿４に手が触れることなく、インキで手が汚れることを回避できる。尚、これ以外にも、ペン先ホルダーを使わず、直接、容器本体２から１本ずつ中綿４を取り出して交換することもできる。
【００２９】
本実施の形態の中綿収納容器１は、筆記具に交換可能に用いられ、インキが含浸された繊維加工体からなる中綿４と、該中綿４が収納される容器本体２と、該容器本体２に着脱自在に嵌合可能なキャップ３と、を備え、内部に複数の中綿４が収納され、前記容器本体２の底面に、各々の中綿４の後端が前後方向に当接する当接部２１，２２，２３が設けられ、前記各々の当接部２１，２２，２３の前後方向の位置が異なることにより、複数本の中綿４を収納して使用頻度の高いユーザーに安価に提供でき、さらに、複数本の中から１本の中綿４を迅速に取り出すことができる。
【００３０】
本実施の形態の中綿４収納容器１は、前記容器本体２が円筒形状であり、前記各々の当接部２１，２２，２３が、前記容器本体２の軸心周りに形成されることにより、内部に複数本の中綿４を収納した際、中綿４が容器本体２の軸心周りに整列して配置されるため、中綿４の交換時、１本の中綿４を容器本体２内部から迅速に取り出すことができる。また、各々の中綿４が軸心周りに整列して収納されるため、落下等の衝撃が中綿収納容器１に加わっても、内部の中綿４の整列状態が乱れることがない。
【００３１】
本実施の形態の中綿収納容器１は、前記各々の当接部２１，２２，２３が、前記容器本体２の軸心周りに螺旋状に形成されることにより、内部に複数本の中綿４を収納した際、各々中綿４が容器本体２の軸心周りに順次前後位置を変えて配置されるため、中綿４の交換時、１本の中綿４を容器本体２内部から迅速に取り出すことができる。
【００３２】
本実施の形態の中綿収納容器１は、前記各々の当接部２１，２２，２３が、前記容器本体２の軸心近傍から径方向外方に放射状に延びる複数のリブからなることにより、各々の当接部２１，２２，２３を容易に形成できるとともに、各々の中綿４の後端を安定して当接支持できる。
【００３３】
＜第２の実施の形態＞
本発明の第２の実施の形態の中綿収納容器１を図７及び図８に示す。前記容器本体２の各々の当接部２１，２２，２３が、軸心周りに螺旋状に形成される連続した傾斜面からなる。
【００３４】
本実施の形態の中綿収納容器１は、前記各々の当接部２１，２２，２３が、前記容器本体２の軸心周りに螺旋状に連続して形成された傾斜面からなることにより、各々当接部２１，２２，２３を容易に形成できる。尚、これ以外の構成及び作用効果は第１の実施の形態と共通である。
【００３５】
＜第３の実施の形態＞
本発明の第３の実施の形態の中綿収納容器１を図９及び図１０に示す。前記容器本体２の各々の当接部２１，２２，２３が、前記容器本体２の軸心周りに螺旋階段状に連続して形成された階段面からなる。
【００３６】
本実施の形態の中綿収納容器１は、前記各々の当接部２１，２２，２３が、前記容器本体２の軸心周りに螺旋階段状に連続して形成された階段面からなることにより、各々当接部２１，２２，２３と中綿４との前後方向の安定した当接支持が可能となる。尚、これ以外の構成及び作用効果は第１の実施の形態と共通である。
【符号の説明】
【００３７】
１  中綿収納容器
２  容器本体
２１  第１の当接部
２２  第２の当接部
２３  第３の当接部
２４  嵌合部
２５  鍔部
３  キャップ
４  中綿
５  ペン先
６  ペン先ホルダー
【図１】
2020100417.tif 000003
【図２】
2020100417.tif 000004
【図３】
2020100417.tif 000005
【図４】
2020100417.tif 000006
【図５】
2020100417.tif 000007
【図６】
2020100417.tif 000008
【図７】
2020100417.tif 000009
【図８】
2020100417.tif 000010
【図９】
2020100417.tif 000011
【図１０】
2020100417.tif 000012